(57)【要約】【課題】使用前の状態で視覚情報を認知することが極めて困難で、更に偽造・改竄を防止できる視覚情報記録媒体及びその視覚情報発現方法を得る。【解決手段】支持体である基板上に紫外線硬化型インクを積層し、硬化を行わずに、少なくとも片面が離型処理された対向支持体を、離型面が紫外線硬化型インクと接するように積層した構成を有し、両側支持体のうち、少なくとも片側が紫外線を透過する材質を使用する視覚情報記録媒体とする。【選択図】　なし【特許請求の範囲】
【請求項１】
シート状の第一の支持体上に紫外線硬化型インクを積層し、少なくとも片面が離型処理されたシート状の第二の支持体を、離型面が紫外線硬化型インクと接するように積層した構成を有し、前記第一の支持体、第二の支持体のうち、少なくとも片側が紫外線を透過する材質であることを特徴とする視覚情報記録媒体。
【請求項２】
請求項１記載の視覚情報記録媒体において、前記紫外線を透過する支持体が透明なポリエチレンテレフタレートであることを特徴とする視覚情報記録媒体。
【請求項３】
シート状の第一の支持体上に紫外線硬化型インクを積層し、該紫外線硬化型インクの硬化を行わずに、少なくとも片面が離型処理されたシート状の第二の支持体を、離型面が紫外線硬化型インクと接するように積層し、両側支持体のうち、少なくとも片側が紫外線を透過する材質を使用した視覚情報記録媒体を用い、紫外線を透過する方の支持体側から、前記紫外線硬化型インクの硬化した部分が、視認可能なパターンを形成するように紫外線を照射する視覚情報発現方法において、前記視覚情報記録媒体を両支持体間で剥離した時、紫外線が照射された部分は、離型処理された面から紫外線硬化型インクが剥離し、紫外線が照射されていない部分は紫外線硬化型インクの層内で剥離を起こし、両側の支持体に分離することで視認可能なパターンが形成されることを特徴とする視覚情報発現方法。
【発明の詳細な説明】
【０００１】
【発明の属する技術分野】
本発明は、使用者が受け取った段階では視覚情報が隠されている、視覚情報記録媒体および視覚情報の発現方法に関するものである。
【０００２】
【従来の技術】
近年、さまざまな分野で視覚情報記録媒体が使用されている。例えば、１つの例として、スクラッチ方式の視覚情報記録媒体が上げられる。使用者が爪やコイン等で表面の隠蔽物を削り取ることで、隠されていた視覚情報を初めて確認することができるシートをスクラッチ（引っ掻き）用シートと称する。スクラッチ用シートを応用した製品としては、用紙の一部にスクラッチ部を設けたスクラッチカードが代表的である。スクラッチカードは、主に国際電話や携帯電話等に使用されるプリペイドカードとして広く用いられている。
【０００３】
もう一つ例を上げると、抽選・くじ引き等におけるくじが上げられる。紙等の印刷基材上に視覚情報を印刷したものを２つ折りにし、重なり合う周辺部を接着する等して、印刷された視覚情報が外観からは知り得ることができないよう加工したものが用いられている。
【０００４】
【発明が解決しようとする課題】
しかしながら、スクラッチ方式に関しては、下地の視覚情報をスクラッチ層で完全に隠蔽することが容易ではないため、隠蔽性を上げる目的でスクラッチ層を厚塗り、時には多層塗りしたり、スクラッチ層上に地紋層を印刷し、下地の視覚情報を見え難くしたりすることが必要となり、コスト増加につながっていた。また、くじに関しては、視覚情報を単に印刷しただけの従来のくじにおいては、その印刷された視覚情報に手が加えられ、くじが偽造あるいは改竄され易い問題を有していた。
【０００５】
本発明は、上記の欠点を除去し、使用前の状態で視覚情報を認知することが極めて困難で、更に偽造・改竄を防止できる視覚情報記録媒体とその視覚情報発現方法を提供することを目的とする。
【０００６】
【課題を解決するための手段】
本発明によれば、支持体上に紫外線硬化型インクを積層し、硬化を行わずに、少なくとも片面が離型処理された対向支持体を、離型面が紫外線硬化型インクと接するように積層した構成を有し、両側支持体のうち、少なくとも片側が紫外線を透過する材質を使用している視覚情報記録媒体が得られる。
【０００７】
また、本発明によれば、前記の媒体に、紫外線を透過する支持体側から、視覚情報として利用したい形状に、部分的に紫外線を照射することを特徴とする視覚情報記録媒体が得られる。
【０００８】
更に、本発明によれば、上記の視覚情報記録媒体を両支持体間で剥離した時、紫外線が照射された部分は、離型処理された支持体側から紫外線硬化型インクが剥離するが、紫外線を照射されていない部分は紫外線硬化型インクの層内で剥離を起こすため、両側の支持体に分離することを利用した視覚情報の発現方法が得られる。
【０００９】
つまり、本発明は、紫外線硬化型インク層を両側から支持体で挟み込むようにし、支持体の少なくとも片側を紫外線が透過する材質としておき、こちら側から紫外線を発現させたい情報の形状（文字・数字・図形　等）で照射する。紫外線硬化型インクと接する支持体の面のどちらか一方を離型処理しておくことにより、情報発現時支持体同士を引き剥がすと、紫外線が照射された部分は、紫外線硬化型インクが全て離型処理されていない側の支持体に転写するが、紫外線が照射されていない部分は紫外線硬化型インクの層内で剥離を起こすため、離型処理がされている側の支持体に、紫外線で照射された情報の形状が発現するという内容である。
【００１０】
紫外線硬化型インク層は、全面印刷であることが好ましいが、両側支持体を剥離した時、発現させたい情報の形状が視覚的に十分判別可能であれば、細かい地紋印刷や通常の図柄印刷でもかまわない。また、両支持体を剥離するときに容易なように、支持体のエッジの一部に紫外線硬化インクが印刷されていない部分を設けてもかまわない。但し、地紋印刷や図柄印刷及び一部インクが印刷されていない部分を設ける印刷を行うときは、紫外線硬化インク層が支持体の全面積に対して少なすぎると、自然に支持体同士が剥離してしまったり、小さな力でずれを生じてしまうため、注意を要する。
【００１１】
離型処理されている支持体の離型処理の程度は、離型処理されていない側の支持体と使用する紫外線硬化型インクとの組み合わせで適当なものを選ぶ必要がある。離型処理が紫外線硬化型インクに対して強すぎると、インク層内で剥離を起こさず、離型面から剥離を起こしてしまうため注意を要する。
【００１２】
紫外線硬化型インク層の厚さは、特に指定はないが、１〜２０μｍ、特に好ましくは２〜１０μｍ程度が望ましい。薄すぎるとインク層内での剥離が起こり難く、また層内で剥離が起こっても発現した情報とのコントラストが取りにくくなる。厚すぎると紫外線で硬化したつもりの部分でも完全には硬化されず、未硬化部分が残存してしまい、記録した情報が良好に発現し難くなる。両側支持体層の厚さは、特に指定はないが、ポリエチレンテレフタレート（以下、ＰＥＴと記す）を支持体とする場合１０〜２５０μｍ、特に好ましくは３０〜１８８μｍ程度が望ましい。厚すぎても薄すぎても両支持体同士を剥離し難くなってくる。
【００１３】
即ち、本発明は、シート状の第一の支持体上に紫外線硬化型インクを積層し、少なくとも片面が離型処理されたシート状の第二の支持体を、離型面が紫外線硬化型インクと接するように積層した構成を有し、前記第一の支持体、第二の支持体のうち、少なくとも片側を紫外線を透過する材質とする視覚情報記録媒体である。
【００１４】
また、本発明は、前記視覚情報記録媒体において、前記紫外線を透過する支持体を透明ＰＥＴとする視覚情報記録媒体である。
【００１５】
また、本発明は、シート状の第一の支持体上に紫外線硬化型インクを積層し、該紫外線硬化型インクの硬化を行わずに、少なくとも片面が離型処理されたシート状の第二の支持体を、離型面が紫外線硬化型インクと接するように積層し、両側支持体のうち、少なくとも片側が紫外線を透過する材質を使用した視覚情報記録媒体を用い、紫外線を透過する方の支持体側から、前記紫外線硬化型インクの硬化した部分が、視認可能なパターンを形成するように紫外線を照射する視覚情報発現方法において、前記視覚情報記録媒体を両支持体間で剥離した時、紫外線が照射された部分は、離型処理された面から紫外線硬化型インクが剥離し、紫外線が照射されていない部分は紫外線硬化型インクの層内で剥離を起こし、両側の支持体に分離することで視認可能なパターンが形成される視覚情報発現方法である。
【００１６】
【発明の実施の形態】
本発明の実施の形態による視覚情報記録媒体及び視覚情報発現方法について、以下に説明する。
【００１７】
（実施の形態１）
図１は、本発明の実施の形態１による視覚情報記録媒体の断面図である。図１の視覚情報記録媒体は、白ＰＥＴ３の上に、紫外線硬化型インク層２を形成し、その上に、透明ＰＥＴ１を配置した構造である。また、紫外線硬化型インク層２と透明ＰＥＴ１との間は、離型処理されている。
【００１８】
ここで、紫外線は、透明ＰＥＴ１側から照射し、透明ＰＥＴ１と白ＰＥＴ３とを剥離すると、紫外線の照射形状に、離型処理された透明ＰＥＴ１側からインクが剥がれ、離型処理された透明ＰＥＴ１側に記録した情報が発現する。
【００１９】
この視覚情報記録媒体は、以下のごとく作製される。先ず、視覚情報記録媒体を作製する。白ＰＥＴ（１８８μｍ厚、三菱化学ポリエステル製４００Ｊ　ｗ−１４）にオフセット印刷用紫外線硬化型墨インク（Ｔ＆Ｋ　ＴＯＫＡ製Ｎｏ２．ＢＦ−ＧＫ墨）をオフセット印刷により３μｍ厚に全面印刷後、紫外線硬化を実施せずに透明ＰＥＴ（５０μｍ厚、片面重剥離処理品、三菱化学ポリエステル製ピューレックス＃７１）の離型処理面側をインクに接するようにラミネートし、得られたシートをＪＩＳサイズ（８５．６ｍｍ×５４．０ｍｍ）に金型で打ち抜き、視覚情報記録媒体を得た。
【００２０】
図４は、本発明の実施の形態による視覚情報発現方法の説明図である。図４に示すように、紫外線を透過しない材質のマスキングシート１２から１〜７までの数字（記録情報１１）を部分的に除去したシートを用いて前記の視覚情報記録媒体の透明ＰＥＴ１ａ側からマスキングするように覆った後、紫外線を照射する。
【００２１】
このようにすることにより、視覚情報記録媒体は、マスキングされた部分以外は紫外線により硬化を起こし視覚情報が記録される。その後、マスキングシート１２を除去し、視覚情報記録媒体を得た。この媒体の紫外線硬化墨インク層は、連続の繋がりを持っており、紫外線照射後も１〜７までの数字を目視で判別することは、非常に困難な状態を作り出すことができた。
【００２２】
このようにして得られた視覚情報記録媒体を用い、両側の基材ＰＥＴを剥離したところ、紫外線硬化が終了している部分は、離型ＰＥＴ側には残存せず、離型ＰＥＴ側に１〜７の数字、記録情報１１の抜け部分が現れ、記録情報として発現した。
【００２３】
本実施の形態では、紫外線硬化時のマスキングとして紫外線を透過しないマスキングシート１２を用いたが、例えば連続で紫外線を透過する形状が変わっていくような金属製のヘッドのようなものを用いてもかまわない。
【００２４】
（実施の形態２）
図２は、本発明の実施の形態２による視覚情報記録媒体の断面図である。図２の視覚情報記録媒体は、透明ＰＥＴ６の上に、紫外線硬化型インク層５を形成し、その上に、白ＰＥＴ４を配置した構造である。また、紫外線硬化型インク層５と白ＰＥＴ４との間は、離型処理されている。
【００２５】
ここで、紫外線は、透明ＰＥＴ６側から照射し、透明ＰＥＴ６と白ＰＥＴ４とを剥離すると、紫外線の照射形状に、離型処理された白ＰＥＴ４側からインクが剥がれ、離型処理された白ＰＥＴ４側に記録した情報が発現する。
【００２６】
（実施の形態３）
図３は、本発明の実施の形態３による視覚情報記録媒体の断面図である。図３の視覚情報記録媒体は、透明ＰＥＴ９の上に、紫外線硬化型インク層８を形成し、その上に、透明ＰＥＴ７を配置した構造である。また、紫外線硬化型インク層８と透明ＰＥＴ７との間は、離型処理されている。
【００２７】
ここで、紫外線は、透明ＰＥＴ７側あるいは透明ＰＥＴ９側から照射し、透明ＰＥＴ７側と透明ＰＥＴ９側とを剥離すると、紫外線の照射形状に、離型処理された透明ＰＥＴ７側からインクが剥がれ、離型処理された透明ＰＥＴ７側に記録した情報が発現する。
【００２８】
【発明の効果】
上述したように、本発明によれば、使用前の状態で視覚情報を認知することが極めて困難であり、更に偽造・改竄を防止できる視覚情報記録媒体および視覚情報発現方法を提供することが可能となった。
【図面の簡単な説明】
【図１】本発明の実施の形態１による視覚情報記録媒体の断面図。
【図２】本発明の実施の形態２による視覚情報記録媒体の断面図。
【図３】本発明の実施の形態３による視覚情報記録媒体の断面図。
【図４】本発明の実施の形態による視覚情報発現方法の説明図。
【符合の説明】
１，１ａ，６，７，９　　　透明ＰＥＴ
２，２ａ，５，８　　　　紫外線硬化型インク層
３，３ａ，４　　　　　白ＰＥＴ
１１　　記録情報
１２　　マスキングシート
【図１】
2004034579.tif 000002
【図２】
2004034579.tif 000003
【図３】
2004034579.tif 000004
【図４】
2004034579.tif 000005